(57)【特許請求の範囲】
【請求項１】
薄肉の有底筒状胴部４より肩部５を介して口頚部６を起立した容器体２と、口頚部６外周に嵌合させた周壁７上端縁より、口頚部上端開口を閉塞する頂壁８を延設して着脱可能に嵌合させたキャップ３とからなる容器であって、キャップ嵌合部分下方の口頚部外周部分に嵌合リング９を嵌着固定させるとともに、嵌合リング９外面より外方へ指掛けリング10を突設してなるリング部材Ａを設けてなることを特徴とする詰め替え用容器。
【請求項２】
上記キャップ周壁７下端部と、嵌合リング９上端部とを、切断可能な連結部ａにより一体に連結してなる請求項１記載の詰め替え用容器。
【請求項３】
上記容器体胴部４底面に凹部15を形成するとともに、凹部15内中央部より把持突片16を一体に垂設してなる請求項１記載の詰め替え用容器。
【発明の詳細な説明】
【０００１】
【発明の属する技術分野】
本発明は詰め替え用容器に関する。
【０００２】
【従来の技術】
近年、プラスチック製品の廃棄，処理が色々問題にされており、できるだけその量，嵩を減じることが要望されている。その結果、種々の詰め替え用容器が使用されるようになってきており、これらは一般に、筒状の胴部から肩部を介して口頚部を起立した容器体と、口頚部に着脱可能に螺着させたキャップとからなるシンプルな形態をとり、またその肉厚をできるだけ薄くして廃棄時の重量，嵩を減じる様構成されている。
【０００３】
【発明が解決しようとする課題】
これら詰め替え用容器は、胴部の肉厚をできるだけ薄く構成しているため、キャップを開ける際に掴んだ容器体胴部が凹むように変形し、中身が溢れだす虞がある。
【０００４】
本発明は、この様な点を考慮して、キャップの着脱の際に中身が溢れだすことがなく行えて、しかも構造が簡単で詰め替え容器としての安価に得られるという要求に充分応えられる容器を提案するものである。
【０００５】
また、容器が未使用であることを容易に確認できる利点を兼ね備えた容器を提案するものである。
【０００６】
【課題を解決するための手段】
本請求項１発明の容器は上記課題を解決するため、薄肉の有底筒状胴部４より肩部５を介して口頚部６を起立した容器体２と、口頚部６外周に嵌合させた周壁７上端縁より、口頚部上端開口を閉塞する頂壁８を延設して着脱可能に嵌合させたキャップ３とからなる容器であって、キャップ嵌合部分下方の口頚部外周部分に嵌合リング９を嵌着固定させるとともに、嵌合リング９外面より外方へ指掛けリング10を突設してなるリング部材Ａを設けてなることを特徴とする詰め替え用容器として構成した。
【０００７】
また、請求項２発明の容器は、上記キャップ周壁７下端部と、嵌合リング９上端部とを、切断可能な連結部ａにより一体に連結してなる請求項１記載の詰め替え用容器として構成した。
【０００８】
また、請求項３発明の容器は、上記容器体胴部４底面に凹部15を形成するとともに、凹部15内中央部より把持突片16を一体に垂設してなる請求項１記載の詰め替え用容器として構成した。
【０００９】
【発明の実施の形態】
以下、本発明の実施例の形態を図面を参照して説明する。
本発明の詰め替え容器１は、容器体２と、キャップ３とを備えている。
【００１０】
容器体２は合成樹脂等により形成されたもので、薄肉に形成された有底筒状の胴部４上端から肩部５を介して口頚部６を起立して構成している。胴部４の厚さは従来のこの種の薄肉容器に採用されている厚さを採用できるが、容器体を形成する樹脂の種類を考慮する等して、液を収納した際の保形性を得られる範囲で出来るだけ薄く形成すると良い。
【００１１】
キャップ３も合成樹脂等により形成されたもので、容器体口頚部６外周に嵌合させた周壁７上端縁より口頚部上端開口を閉塞する頂壁８を延設してなる下端開口の筒状をなしている。キャップ３の口頚部６に対する嵌合係止手段は、図示例の如き螺着であっても、或いは突条相互の乗り越え係合によって嵌合係止させる形態のものであっても、従来のこの種容器に於いて使用されている嵌合係止方法を採用できる。
【００１２】
本発明では、上記したこの種の詰め替え用容器に於いて、キャップ嵌合部分下方の口頚部外周部分に嵌合リング９を嵌着固定させるとともに、嵌合リング９外面より外方へ指掛けリング10を突設してなるリング部材Ａを設けている。
【００１３】
このリング部材Ａは合成樹脂等により形成されたもので、その材質，肉厚等を選択することにより、指掛けリング10内に指を挿入して容器体２を持ち上げても変形しない程度の剛性を付与しており、このリング部材Ａを設けることにより、容器体２が凹んで収納液が溢れだすという不都合を生じることなくキャップの着脱或いは液の注出を行える如く構成している。
【００１４】
図１に示す実施例では、口頚部６外周上部に螺条11を周設するとともに、口頚部外周下部に上下間隔をあけて一対の係止突条12，12を突周設している。また、嵌合リング９内周面上部に係合突条13を突周設するとともに、内周面下端部を下向き段部14を介して縮径している。そして、容器体上方より嵌合リング９を挿入嵌合させ、その係合突条13を上方の係止突条12下面に乗り越え係合させるとともに、下向き段部14を下方の係止突条12上面に当接係止させてリング部材Ａを口頚部６に嵌着固定している。
【００１５】
更に本実施例では、容器体胴部底面に凹部15を形成するとともに、凹部15内中央部より把持突片16を一体に垂設している。この突片16は、キャップ３を外した後収納液を注出する際に、指掛けリング10とそれとを掴んで行えば容器体の変形を極力防止して液の注出を行えるもので、図示例では、上部に薄肉の屈曲部17を横設して前後方向に回動可能に設けている。この把持突片16は、例えば、容器体をブロー成形する際に同時に形成することができる。尚、把持突片16の向きは、容器体が上記の如き方向性のある胴部４を有する場合には必要に応じて変えることができ、指掛けリング10の突出方向との兼ね合いで適宜選択できる。
【００１６】
上記の如き本実施例の容器を使用する場合には、例えば、指掛けリング10を掴んで固定し、キャップ３を螺脱させれば、容器体が凹む等の不都合を生じることなく開蓋を行える。次いで、例えば、指掛けリング10部分に指を挿入するとともに、容器体底面の把持突片16を指で掴んで傾ければ、容器体を殆ど変形させることなく収納液の注出を行える。
【００１７】
図３及び図４に示す実施例は、キャップ周壁７下端縁と、リング部材Ａの嵌合リング９上端縁とを破断可能な連結部ａにより一体に連結して構成した例を示している。
【００１８】
本実施例に於いては、キャップ３とリング部材Ａとを合成樹脂により一体に形成しており、キャップ周壁７下端縁と、嵌合リング９上端縁とを、破断可能な連結部ａとしての薄肉部18により連結している。
【００１９】
また、容器体口頚部６外周の螺条11周設部分下方に、縦幅の広い帯状突出部19を周設し、キャップ３及びリング部材Ａを上方より螺着させて、嵌合リング９内周面下部に突周設した係合突条13を帯状突出部19下面に乗り越え係合させることにより、リング部材Ａを抜け出し不能に嵌合させている。
【００２０】
尚、破断可能な連結部ａは上記薄肉部18に限らず種々の形態が採用でき、リング部材Ａを固定してキャップを水平回動させた際に比較的容易に破断する構造が採用でき、例えば、周方向複数の細棒片により両者を連結したり、或いは両者を一体に形成してその境界部分にミシン目を設ける等することにより形成できる。更に本実施例に於ける嵌合リング９は、口頚部６に対して抜け出しは出来ないが、回動は可能な如く嵌合させている。従って、連結部ａを切断してキャップ３を外した際には、その指掛けリング10の向きを図４に示す如く自由に変えられる如く構成している。
【００２１】
本実施例の場合も図１の実施例同様の把持突片16を設けている。
また、本実施例の容器を使用する場合には、例えば、指掛けリング10を掴んで固定し、キャップ３を螺脱させる操作を行えば、薄肉部18が切断されてキャップ３のみが容器体２から外れる。
【００２２】
【発明の効果】
以上説明した如く、本発明詰め替え用容器は、キャップ嵌合部分下方の口頚部外周部分に嵌合リングを嵌着固定させるとともに、嵌合リング外面より外方へ指掛けリングを突設してなるリング部材Ａを設けているので、キャップの着脱に際して、例えば、この指掛けリングを掴んで行えば、容器体内の液を溢れさせる等の不都合を生じることなくキャップの着脱を行え、円滑な液の詰め替えを行えるものである。
【００２３】
しかも、従来容器と比較して、小さなリング部材を増加させただけであるため、製造もそれ程煩雑化せず、しかも材料費の増加も少なく、安価に製造できるというこの種の容器への要望を充分満足できるものである。
【００２４】
また、キャップ周壁下端部と、指掛けリング上端部とを、破断可能な連結部で一体に連結したものにあっては、キャップとリング部材を一緒に嵌着できる便利があるとともに、連結部が切断されていない状態では容器が未使用であることを簡単に判別できる利点を兼ね備えている。
【００２５】
また、容器体胴部底面に凹部を形成するとともに、凹部内中央部より把持突片を一体に垂設してなるものにあっては、キャップを外した後収納液を注出する際に、指掛けリングと、把持突片とを掴んで行えば、内容液の溢れだしを良好に防止できるものである。
【図面の簡単な説明】
【図１】本発明の一実施例を示す半断面図である。
【図２】同実施例の胴部下端部分を示す要部斜視図である。
【図３】本発明の他の実施例を示す半断面図である。
【図４】同実施例の容器使用状態の要部斜視図である。
【符号の説明】
２…容器体，３…キャップ，４…胴部，５…肩部，６…口頚部，  ７…周壁，
８…頂壁，９…嵌合リング，10…指掛けリング，15…凹部，16…把持突片，
ａ…連結部，Ａ…リング部材
【図１】
0003871801.tif 000002
【図２】
0003871801.tif 000003
【図３】
0003871801.tif 000004
【図４】
0003871801.tif 000005